(57)【特許請求の範囲】
【請求項１】
座、背および肘のそれぞれが、ともにほぼ垂直方向に向く折畳み姿勢となる椅子を起立状態で昇降台に取付け、その椅子を、昇降台により、それが床面レベルより下方へ入り込む下降位置と、床面レベル以上に迫出す上昇位置との間で変位可能とした椅子格納装置において、
床材側の、昇降台の配設位置と対応する位置に蓋体をヒンジ連結し、前記座の後端部分をヒンジ連結した、昇降台上の支柱にガイド手段を取付け、このガイド手段に掛合させて設けた背を、昇降台の上昇途中で、背に一端を連結した可撓索状体の他端側の上昇変位を拘束することにより、ガイド手段の、後方側斜め上方へ延びる持上げガイド溝に沿わせて上昇変位させて、その背を、後端部が背に、中間部が支柱にそれぞれヒンジ連結された肘により、後方側への傾き角が大きくなる展開方向に変位させ、これに伴って、肘それ自体を、それがほぼ水平姿勢となる展開方向に変位させるよう構成してなる椅子格納装置。
【請求項２】
座、背および肘のそれぞれを折畳み姿勢に復帰させる方向の重量および付勢力の少なくとも一方をそれらに作用させてなる請求項１に記載の椅子格納装置。
【請求項３】
背の下端部背面側に可撓索状体の一端を連結するとともに、昇降台の昇降経路に隣接する固定側部材に、可撓索状体の他端側の、所定量以上の上昇変位を拘束するストッパを設けてなる請求項１もしくは２に記載の椅子格納装置。
【請求項４】
一端を背に連結した可撓索状体の他端側を巻掛け手段を介して垂下させてなる請求項１〜３のいずれかに記載の椅子格納装置。
【請求項５】
可撓索状体の垂下端に、ストッパに当接する衝接金具を連結してなる請求項４記載の椅子格納装置。
【請求項６】
前記蓋体を、椅子の後方側へ開放可能としてなる請求項１〜５いずれかに記載の椅子格納装置。
【発明の詳細な説明】
【０００１】
【発明の属する技術分野】
この発明は、多数の人間が集まる講堂、多目的ホール等に適用されて、員数に応じた数の椅子席の、簡易迅速な設置を可能にする一方で、椅子席の不使用時には、全ての椅子の、床面より下方側への、これもまた簡易迅速な収納によって、広い平坦床面の確保を可能にする椅子格納装置に関するものである
【０００２】
【従来の技術】
従来のこの種の椅子格納装置としては、たとえば、出願人の先の出願に係る実開平７−１５９５１号公報に開示されたものがある。
これは、座と背凭れ及び肘掛けが着座者の離席に伴い展開状態から付勢手段或いは自重により略垂直に自動復帰する自動折り畳み式椅子を、床台内に起立したまま昇降可能に収納設置すると共に、その床台の上面床板の一部に起倒可能に配して前記椅子の昇降による床台上方への迫り出し及び該床台内への収納を可能とする幅狭な開閉床板部を設けた椅子収納型床装置において、前記開閉床板部の裏面にフックを設け、この開閉床板部を起立開放しながら前記椅子を床台上方に迫り出すと、該開閉床板部裏面のフックに係合し、当該椅子の背凭れを後傾状態に、肘掛けを略水平状態に、展開保持するリンク機構を設けたものであり、これによれば、所要に応じた椅子席の設置および、使用後の椅子の床台内への収納をともに簡易にかつ迅速に行うことができる。
【０００３】
【発明が解決しようとする課題】
しかるに、この従来技術では、椅子の上昇変位に伴う背凭れおよび肘掛けの展開変位を、リンク機構、なかでも、それの揺動レバーと、開閉床板部のフックとの係合に基づいて行っていることから、機構が複雑になり、また、その揺動レバーを椅子の前後方向に延在させているも、全長をそれほど長くできず、それのモーメントアーム比を所要に応じて選択できないことから、揺動レバーへの大きな力の作用が不可欠であるという問題があり、また、大きな力の作用の故に、開閉床板部およびフックの強度増加が余儀なくされるという問題もあった。
またこの一方で、椅子の座の下側に揺動レバーの作動スペースを確保する必要から、椅子それ自体が大型化するという問題もあった。
【０００４】
この発明は、従来技術が抱えるこのような問題点を解決することを課題とするものであり、それの目的とするところは、椅子の機構部の構造を簡単にするとともに、比較的小さな力での背および肘の展開変位を可能とし、さらには、椅子の小型化を可能とした椅子格納装置を提供するにある。
【０００５】
【課題を解決するための手段】
この発明の椅子格納装置は、座、背および肘のそれぞれが、ともにほぼ垂直方向に向く折畳み姿勢となる椅子を起立状態で昇降台に取付け、この椅子を、昇降台によって、それが床面レベルより下方へ入り込む下降位置と、床面レベル以上に迫出す上昇位置との間で変位可能としたものであり、床材側の、昇降台の配設位置と対応する位置に蓋体をヒンジ連結して、前記座の後端部分をヒンジ連結した、昇降台上の支柱にガイド手段を取付け、このガイド手段に掛合させて設けた背を、昇降台の上昇途中で、背に一端を連結した可撓索状体、たとえば、ロープ、紐、チェーン、縄等の他端部の上昇変位を拘束することにより、ガイド手段の、後方側斜め上方へ延びる持上げガイド溝に沿わせて上昇変位させて、その背を、後端部が背に、中間部が支柱にそれぞれヒンジ連結された肘により、後方側への傾き角が大きくなる展開方向に変位させ、これに伴って、肘それ自体を、それがほぼ水平姿勢となる展開方向に変位させるよう構成したものである。
【０００６】
この装置では、昇降台、ひいては、そこに取付けた椅子の上昇途中で、一端を背に連結した可撓索状体の他端部の上昇変位を拘束して、その可撓索状体に引張力を発生させ、この引張力によって椅子側ガイド手段の作用下で、背および肘のほぼ直接的な展開変位をもたらすことにより、従来技術のような揺動レバーの設置を不要ならしめて、作動機構部の構造を簡単にし、また、背および肘の、小さな力での展開変位を可能ならしめることができる。従ってここでは、特定構造部分の強度をとくに増加させることも不要となる。
またここでは、座の下側に、揺動レバーの作動スペースの如く特別の空間を確保することが不要であるので、椅子の十分なる小型化を実現することができる。
【０００７】
この装置において好ましくは、座、背および肘のそれぞれを折畳み姿勢に復帰させる方向の重量および付勢力の少なくとも一方をそれらに作用させる。
これによれば、着座者の起立動作によって座を、そして、背に連結した可撓索状体からの引張力の除去によって背および肘のそれぞれを、重量および付勢力の少なくとも一方の作用下で自動的に折畳み姿勢とすることで、椅子の不使用時におけるそれの占有体積を十分小ならしめることができ、それ故に、椅子の、床面レベルより下方側への入れ込みおよび、床面レベル以上の高さへの迫出し等に際する、昇降台に隣接する固定側部材への椅子の干渉を有効に防止することができる。
【０００８】
なおここで、椅子の折畳み変位を、構成各部の重量に基づいて直接的もしくは間接的に行わせる場合には、ばね等の特別の付勢手段を不要ならしめて、椅子の構造をより簡単なものとすることができる。
【０００９】
ところで前記ガイド手段を、背の持上げ方向を特定する案内部材により構成した場合には、背と、そこにヒンジ連結した肘との協働下で、簡単な構造の案内部材をもって、それら両者を円滑に、所要の展開姿勢とすることができ、また、肘の展開変位を案内するガイド手段を肘自体に設ける場合に比して、肘の設計上の自由度を大きく高めることができる。
【００１０】
この装置でより好ましくは、背の下端部背面側に可撓索状体の一端を連結するとともに、昇降台の昇降経路に隣接する固定側部材に、可撓索状体の他端側の、所定量以上の上昇変位を拘束するストッパを設け、たま好ましくは、一端を背に連結した可撓索状体の他端側を巻掛け手段を介して垂下させる。
【００１１】
これによれば、可撓索状体を、椅子の構成部分との干渉のおそれなしに、しかも、外観上目立たない部分に延在させることができ、また、巻掛け手段を用いることで、背への力の作用方向を所要の方向に簡単かつ円滑に変更することができる。
【００１２】
そしてさらに、可撓索状体の垂下端に、ストッパに当接する衝接金具を設けた場合には、可撓索状体の上昇変位の拘束を、常に確実に、かつ所期した通りに行うことができ、従って、椅子なかでも、背および肘の適正なる展開を担保することができる。
【００１３】
加えて、蓋体を、椅子の後方側へ開放可能となるように床材側にヒンジ連結した場合には、その蓋体は、椅子の迫出し時には背の背面側に位置することになるので、蓋体の起上がり高さの高低が椅子の作用ないしは機能に影響を及ぼすことがない。
従ってここでは、蓋体の起上がり高さを高くし、それに応じて椅子の折畳み厚さを厚くすること、いいかえれば、椅子を重厚なものとして、高級感あふれるものとすることも可能である。
しかるに、蓋体を椅子の前方側へ開放可能とした場合には、その蓋体の起上がり高さを、展開姿勢の座の下に収まる高さとすることが不可避となるので、昇降台上に配設する椅子の品質が自ずと限られたものとなる。
【００１４】
【発明の実施の形態】
以下にこの発明の実施の形態を図面に示すところに基づいて説明する。
図１は、この発明の実施の形態を示す部分断面側面図であり、図２はそれの要部を示す背面図である。
図中１は床材を、２は昇降台をそれぞれ示し、この昇降台２は、図示しない駆動手段により、床材１を切開いてなる開口を経て、上下方向に平行移動することができる。
また３は、昇降台２上に起立状態で取付けた椅子を示し、この椅子３の、昇降台２への取付けは、たとえば、昇降台２に溶接した支持金具に、クランパをもって連結パイプ４を締付け固定することにより行うことができる。
【００１５】
図に示すところでは連結椅子としたこの椅子３は、図２に示すように、一本の連結パイプ４に五本の支柱５を等間隔で立設するとともに、隣り合う支柱５を対として、それらの両者に座６の後端部分をヒンジ連結し、また、貫パイプ７にて相互連結されて各々が支柱５間に位置する背８を、最も外側に位置するそれぞれの支柱５に取付けたガイド手段９に掛合させ、そして、支柱５の上端に中間部をヒンジ連結した肘１０の後端部を背８の中間部にヒンジ連結することによって構成することができ、ここで、それぞれの座６は、多くは、図示しないリターンスプリングにより、相互の独立下で、図１に実線で示す折畳み姿勢に自動復帰される。
【００１６】
またここで、ガイド手段９への背８の掛合は、図１に示すように、支柱５の内面側に取付けられて後方側へ突出する案内プレート１１の、後方側斜め上方へ直線状に延びる持上げガイド溝１２に、背８の下端部分でその側面から突出させて設けたピン１３を嵌込むことによって行うことができ、これにより、背８、とくにはピン１３は、持上げガイド溝１２の延在方向に昇降変位することができる。ところで、背８のこのような昇降変位に際するそれの全体傾斜姿勢は、背８の中間部に連結した肘１０によってコントロールされることになり、背８の上昇に伴う、肘１０の、支柱５に対する回動変位によって、その背８は次第に後方側への傾き角を大きくし、ピン１３がガイド溝１２の上端に達した時点で、背８および肘１０は同時に、図示のような完全展開姿勢となる。
【００１７】
この一方で、背８、ひいては、ピン１３を、その背８の自重に基づいて、ガイド溝１２に沿わせて下降変位させると、肘１０が、それの支柱５へのヒンジピンの周りで下向きに回動することにより、背８および肘１０の折畳み変位がもたらされ、ピン１３がガイド溝１２の下端に達すると、それら両者は、ともにほぼ垂直方向に向く完全な折畳み姿勢となる。
【００１８】
ところでここでは、背８および肘１０のこのような展開および折畳み変位を、所要に応じて自動的に行わせるべく、背８の下端部背面側に、ブラケット１４を介して、可撓索状体の一例としてのチェーン１５の一端を連結し、そして、このチェーン１５を、ローラ、シャフト等とすることができる、昇降台２上の巻掛け手段１６に巻き返して椅子３の背面側に垂下するとともに、その垂下端に、ストッパ１７に当接する衝接金具１８を連結する。この一方で、ストッパ１７は、昇降台２の昇降経路に隣接する、固定側部材としてのベースフレーム１９に、上記衝接金具１８の真上に位置させて固定もしくは固着してなり、衝接金具１８との当接位置を調節するアジャストボルト２０を有してなる。
【００１９】
図３はこのことを示す背面斜視図であり、前記巻掛け手段１６は、昇降台２に取付けたチェーンカバー２１に、それを水平に支持もしくは軸受け支持することで、チェーン１５が背８に及ぼす引張力の向きを円滑に変換すべく機能することができ、また、ストッパ１７および衝接金具１８は、ストッパ１７を、水平に離隔した二個を一対として設け、そして衝接金具１８を、両ストッパ１７に跨がる十字形に構成することで、それら両者の当接後における、衝接金具１８の不測の逃げ変位を十分に阻止することができる。
【００２０】
そして、この装置ではさらに、昇降台２の昇降変位を許容すべく切開いた床材１の開口を閉止するための蓋体２２を、椅子３の背後で床材１の開口縁にヒンジ連結し、これにより、蓋体２２の、椅子３の後方側への開放作動を可能ならしめる。
【００２１】
以上のように構成してなる椅子格納装置の作用を図４に示すところに基づいて以下に説明する。
椅子３を、床面上への迫出し状態でそこに設置する場合には、図４（ａ）に示すように、蓋体２２を後方側へ開放して、床面レベルより下方へ入り込んだ下降位置にある椅子３を、昇降台２の上昇変位に基づいて床面上へ迫出させる。
【００２２】
椅子３のこのような迫出し変位に当たり、ベースフレーム１９に設けたストッパ１７が、図４（ａ）および（ｂ）に示すように、チェーン１５に連結した衝接金具１８から離隔して位置するときは、そのチェーン１５、ひいては、その他端に連結した衝接金具１８もまた、初期の姿勢を保ったまま、巻掛け手段１６とともに上昇変位する。
【００２３】
しかるに、衝接金具１８が、図４（ｃ）に示すようにストッパ１７に当接した後は、その衝接金具１８、ひいては、チェーン１５の他端側の上昇はそのストッパ１７によって阻止されるも、昇降台２の継続した上昇によって椅子３もまた上昇することから、チェーン１５に引張力が発生する。
【００２４】
ここで、チェーン１５に作用する引張力が背８の重量より大きくなると、巻掛け手段１６の作用により、背８の、図４（ｄ）に示すような持上げ変位がもたらされ、この変位は同時に、ガイド手段９の作用に基づく、背８および肘１０の展開方向の変位をももたらす。
【００２５】
そして、背８のこのような持上げ変位ならびに、背８および肘１０の展開変位は、予め選択されたチェーン長さ、ストッパ位置等との関連の下で、図４（ｅ）に示すように、昇降台２の上限位置への到達とタイミングを合わせて完了する。そしてこの状態の下では、チェーン１５の、背８への連結端が丁度巻掛け手段１６に達し、そのチェーン１５に大きな引張力が継続的に作用することになる。
【００２６】
この一方で、椅子３の使用を終えた後は、昇降台２を下降変位させて、チェーン１５に作用する引張力の低下をもたらし、これにより、背８を、それの自重に基づいて、ガイド手段９の作用の下で下降変位させる。背８のこの下降変位はガイド溝１２に案内されて行われ、この結果として、肘１０が支柱の周りに下向きに回動変位することから、背８および肘１０は、ともに折畳み方向に変位され、この変位は、背８がガイド溝１２の下端に達することで終了する。
【００２７】
昇降台２の引き続く下降変位は、図４（ｃ）に示すように、背８および肘１０が完全な折畳み姿勢となった後の、椅子３の床面レベルより下方への入り込みをもたらし、これにより、椅子３は、床材開口および、昇降台２の下降経路のそれぞれの隣接部材との干渉なしに、椅子３がそれの下限位置に達する下降姿勢をもたらす。
その後は、開放状態の蓋体２２を回動させて、床材１に設けた開口を閉止して、床面を完全な平坦面とする。
従って、椅子３のこのような格納後は、その床面を他の各種の目的に使用することができる。
【００２８】
【発明の効果】
以上に述べたところから明らかなように、この発明によれば、とくには可撓索状体に作用する引張力をもって背の持上げ変位をもたらし、これに基づいて背および肘のそれぞれを展開変位させることで、従来技術に比して椅子の機構部の構造を簡単にすることができ、また、その展開変位を小さな駆動力によって行うことができ、これに併せて、機構部の強度および重量の増加を排除することができる。
しかも、リンク機構部を必須とする従来技術に比して椅子の全体を小型化することも可能である。
【図面の簡単な説明】
【図１】  この発明の実施の形態を示す部分断面側面図である。
【図２】  図１の要部を示す背面図である。
【図３】  チェーン機構部の背面斜視図である。
【図４】  図１に示す装置の作動工程図である。
【符号の説明】
１  床材
２  昇降台
３  椅子
４  連結パイプ
５  支柱
６  座
７  貫パイプ
８  背
９  ガイド手段
１０  肘
１１  案内プレート
１２  ガイド溝
１３  ピン
１４  ブラケット
１５  チェーン
１６  巻掛け手段
１７  ストッパ
１８  衝接金具
１９  ベースフレーム
２０  アジャストボルト
２１  チェーンカバー
２２  蓋体
【図１】
0003914644.tif 000002
【図２】
0003914644.tif 000003
【図３】
0003914644.tif 000004
【図４】
0003914644.tif 000005